(57)【特許請求の範囲】
【請求項１】
画像を表示する表示手段を有し、第１の画像とこの第１の画像よりも上記表示手段への再生のための処理の時間が長い第２の画像とにより各コマが構成された、複数のコマの撮像画像が記憶された記憶手段から各コマの撮像画像を順次、読み出し、上記表示手段に再生表示を行なうデジタルカメラであって、
上記表示手段に再生すべきコマを指示する指示手段と、
上記指示手段で再生すべきコマが所定時間内の間隔で連続して指示されたとき、前回指示されているコマの第１の画像の上記表示手段への表示処理が完了した後、今回指示されたコマの第１の画像を上記表示手段に再生表示する第１の表示制御手段と、
上記所定時間内に上記指示手段により再生すべきコマが指示されなかったとき、連続指示で最後に指示されたコマの第１の画像の上記表示手段への表示処理が完了した後、そのコマの第２の画像を上記表示手段に再生表示する第２の表示制御手段とを備えたことを特徴とするデジタルカメラ。
【請求項２】
画像を表示する表示手段を有し、第１の画像とこの第１の画像よりも上記表示手段への再生のための処理の時間が長い第２の画像とにより各コマが構成された、複数のコマの撮像画像が記憶された記憶手段から各コマの撮像画像を順次、読み出し、上記表示手段に再生表示を行うデジタルカメラであって、
上記表示手段に再生すべきコマを指示する指示手段と、
上記指示手段で再生すべき次のコマが指示されたときは、第１のコマの第１の画像の表示処理完了後、第２のコマの第１の画像を表示手段に再生表示し、所定時間内に次に再生すべきコマが指示されなかったときは、第１のコマの第１の画像の表示処理完了後、第１のコマの第２の画像を表示手段に再生表示する表示制御手段とを備えたことを特徴とするデジタルカメラ。
【請求項３】
上記第１の画像と上記第２の画像とは同一の被写体を撮影して得られた撮影画像から生成されたことを特徴とする請求項１または２記載のデジタルカメラ。
【請求項４】
上記第１の画像は、サムネイル画像であることを特徴とする請求項１または２記載のデジタルカメラ。
【請求項５】
上記第１の画像は、撮影画像を上記第２の画像よりもデータ数の少ない非圧縮状態で記憶した画像であることを特徴とする請求項１または２記載のデジタルカメラ。
【請求項６】
上記第２の画像は、撮影画像を圧縮状態で記憶した画像であることを特徴とする請求項１、２、または５記載のデジタルカメラ。
【請求項７】
上記再生のための処理は、圧縮された画像を伸長する処理であること特徴とする請求項６記載のデジタルカメラ。
【請求項８】
上記第２の画像は、ＪＰＥＧ方式により圧縮された画像であることを特徴とする請求項１〜７のいずれかに記載のデジタルカメラ。
【請求項９】
上記第２の画像は、表示されている上記第１の画像に対してライン単位で上書き表示されることを特徴とする請求項１〜８のいずれかに記載のデジタルカメラ。
【請求項１０】
上記記憶手段は、カメラに対して取り外し可能な記録媒体であることを特徴とする請求項１〜９のいずれかに記載のデジタルカメラ。
【発明の詳細な説明】
【０００１】
【発明の属する技術分野】
本発明は、静止した被写体光像を画像信号に光電変換して取り込み、この画像信号を半導体メモリ等の記録媒体に記録するデジタルカメラに係り、特に記録媒体に記録された複数の画像を再生表示する表示手段を備えたデジタルカメラに関するものである。
【０００２】
【従来の技術】
デジタルカメラにおいては、一般に、記録媒体のメモリ容量の有効活用の観点から、撮像画像をＪＰＥＧ（Joint Photographic Coding Experts Group）方式等の所定の圧縮方式により圧縮して記録媒体に記録するようなっている。また、撮像画像の圧縮画像を記録媒体に記録する際、記録媒体に記録された撮像画像のインデックス画像として活用されるサムネイル画像を生成し、圧縮画像とともに記録媒体に記録することが行われている。このサムネイル画像は、撮像画像のデータ数を間引いて生成された小サイズの非圧縮画像で、圧縮画像に比して読出／再生を迅速に行なうことができるものである。
【０００３】
また、従来、電子ビューファインダとして機能するＬＣＤ（Liquid Crystal Display）表示部を備えたデジタルカメラが知られている。このデジタルカメラでは、記録媒体に記録された複数コマの撮像画像のＬＣＤ表示部への再生表示が可能で、カメラに設けられたコマ送りスイッチでコマを指定して各コマの記録画像をＬＣＤ表示部に再生し、確認することができるようになっている。
【０００４】
【発明が解決しようとする課題】
ところで、上記デジタルカメラにおいては、記録媒体に記録された各コマの撮像画像をＬＣＤ表示部に再生して、記録内容を確認する場合、コマ送りスイッチを連続的に操作して各コマの撮像画像をＬＣＤ表示装置に再生する必要がある。この場合、コマ送りスイッチによるコマ指定毎に各コマの圧縮画像をＬＣＤ表示部に再生すると、圧縮画像の伸長処理に長時間を要し、迅速に各コマの撮像画像を再生することは困難である。ＪＰＥＧ方式の圧縮画像をＬＣＤ表示部に再生表示する場合、データ容量の圧縮釣にもよるが、例えば画素数３０万の画像信号を８ビットの画像データに変換し、１／８の圧縮率で圧縮した場合、圧縮画像の再生に略２秒程度を要する。
【０００５】
このため、所望のコマ番号が現在のコマ番号から離れている場合、そのコマの撮像画像を再生するのに非常に長い時間を要し、単に画像内容を確認したい場合は、非常に不便である。この問題を解消するため、各コマの圧縮画像を全て再生することなく一定時間ごとに順次、各コマの圧縮画像を再生する方法も考えられるが、この方法では各コマの撮像画像の一部しか再生されず、内容確認の困難なコマが生じることがあり、実用的でない。
【０００６】
本発明は、上記課題に鑑みてなされたものであり、記録媒体に記録された複数コマの撮像画像のＬＣＤ表示部での表示、確認を迅速に行なうことのできるデジタルカメラを提供するものである。
【０００７】
【課題を解決するための手段】
本発明は、画像を表示する表示手段を有し、第１の画像とこの第１の画像よりも上記表示手段への再生のための処理の時間が長い第２の画像とにより各コマが構成された、複数のコマの撮像画像が記憶された記憶手段から各コマの撮像画像を順次、読み出し、上記表示手段に再生表示を行なうデジタルカメラであって、上記表示手段に再生すべきコマを指示する指示手段と、上記指示手段で再生すべきコマが所定時間内の間隔で連続して指示されたとき、前回指示されているコマの第１の画像の上記表示手段への表示処理が完了した後、今回指示されたコマの第１の画像を上記表示手段に再生表示する第１の表示制御手段と、上記所定時間内に上記指示手段により再生すべきコマが指示されなかったとき、連続指示で最後に指示されたコマの第１の画像の上記表示手段への表示処理が完了した後、そのコマの第２の画像を上記表示手段に再生表示する第２の表示制御手段とを備えたものである(請求項１)。
【０００８】
上記構成によれば、記録手段に記録された複数のコマの撮像画像は、指示手段で再生すべきコマを指定することにより表示手段に再生表示される。このとき、指示手段で再生すべきコマが所定時間内の間隔で連続して指示されたとき、前回指示されているコマの第１の画像の表示手段への表示処理が完了した後、今回指示されたコマの第１の画像が表示手段に再生表示される。すなわち、各コマの再生処理時間の短い第１の画像が連続的に表示手段に再生表示される。
【０００９】
一方、所定時間内に指示手段により再生すべきコマが指示されなかったとき、連続指示で最後に指示されたコマの第１の画像の表示手段への表示処理が完了した後、そのコマの第２の画像が表示手段に再生表示される。すなわち、連続指定されたコマ分、各コマの第１の画像が表示手段に連続表示された後、最後のコマの撮像画像の第２の画像が表示手段に再生表示される。
【００１０】
また、本発明は、画像を表示する表示手段を有し、第１の画像とこの第１の画像よりも上記表示手段への再生のための処理の時間が長い第２の画像とにより各コマが構成された、複数のコマの撮像画像が記憶された記憶手段から各コマの撮像画像を順次、読み出し、上記表示手段に再生表示を行うデジタルカメラであって、上記表示手段に再生すべきコマを指定する指示手段と、上記指示手段で再生すべき次のコマが指示されたときは、第１のコマの第１の画像の表示処理完了後、第２のコマの第１の画像を表示手段に再生表示し、所定時間内に次に再生すべきコマ画像が指示されなかったときは、第１のコマの第１の画像の表示処理完了後、第１のコマの第２の画像を表示手段に再生表示する表示制御手段とを備えたものである(請求項２)。
【００１１】
上記構成によれば、指示手段により、次のコマの再生指示が所定時間内に行われた場合は、次のコマの第１の画像の再生表示を行い、次のコマの指示が所定時間内に行われなかった場合は、現コマの第１の画像の再生表示が完了した後、現コマの第２の画像を再生表示する。
【００１２】
上記各構成によれば、第１の画像は第２の画像に比して再生のための処理の時間が短いため、各コマの撮像内容を迅速に確認することができるとともに、所望のコマ位置まで迅速にコマ送りするこが可能となる。
【００１３】
なお、上記第１の画像と上記第２の画像とは同一の被写体を撮影して得られた撮影画像から生成されたものにするとよい(請求項３)。
【００１４】
また、上記第１の画像は、サムネイル画像であるとよい(請求項４)。
【００１５】
また、上記第１の画像は、撮影画像を上記第２の画像よりもデータ数の少ない非圧縮状態で記憶した画像にするとよい(請求項５)。
【００１６】
また、上記第２の画像は撮影画像を圧縮状態で記憶した画像にするとよい(請求項６)。
【００１７】
また、上記再生のための処理は、圧縮された画像を伸長する処理にするとよい(請求項７)。
【００１８】
また、上記第２の画像はＪＰＥＧ方式により圧縮された画像にするとよい(請求項８)。
【００１９】
また、上記第２の画像は、表示されている上記第１の画像に対してライン単位で上書き表示するとよい(請求項９)。
【００２０】
また、上記記憶手段は、カメラに対して取り外し可能な記録媒体にするとよい(請求項１０)。
【００２１】
【発明の実施の形態】
本発明に係るデジタルカメラについて、図を用いて説明する。
【００２２】
図１は、本発明に係るデジタルカメラの正面図、図２は、同デジタルカメラの背面図である。また、図３〜図５は、それぞれ同デジタルカメラの上面図、右側面図、底面図である。
【００２３】
デジタルカメラ１は、箱型のカメラ本体部２と直方体状の撮像部３とから構成されている。撮像部３は、正面から見てカメラ本体部２の右側面に着脱可能、かつ、この右側面と平行な面内に回動可能に装着されている。また、撮像部３は、後述するように、専用の接続ケーブルを介してカメラ本体部２に接続することができるようになっている。
【００２４】
撮像部３は、レンズ窓が設けられた端面（図１で上側の端面）を前端とすると、図４の仮想線で示すように、前端がカメラ本体部２の上面と平行となる位置（撮像方向が図４のＡ方向となる位置。以下、この位置を回転基準位置という。）を基準として略±（９０＋α）°の範囲で回動することができるようになっている。撮像部３がカメラ本体部２に直接、接続された状態では、撮像部３の回転動作によりデジタルカメラ１のメイン電源のＯＮ／ＯＦＦが行なわれ、撮像部３が回転基準位置にセットされると（図１〜図５の状態）、メイン電源がＯＦＦになるようになっている。これは、デジタルカメラ１が最もコンパクトになる構成で、通常、この状態でデジタルカメラ１の保管が行なわれるから、自動的にメイン電源をＯＦＦにすることによりメイン電源のスイッチ操作の容易化を図るようにしたものである。
【００２５】
撮像部３は、マクロズームからなる撮影レンズ及びＣＣＤ（Charge Coupled Device）等の光電変換素子からなる撮像装置を有し、被写体の光学像を電気信号からなる画像（ＣＣＤの各画素で光電変換された電荷信号により構成される画像）に変換して取り込むものである。一方、カメラ本体部２は、ＬＣＤ（Liquid Crystal Display）からなる表示部１０、ＩＣカード１８の装着部１７（図８参照）及びパーソナルコンピュータが外部接続される接続端子１３を有し、主として上記撮像部３で取り込まれた画像信号に所定の信号処理を施した後、ＬＣＤ表示部１０への表示、ＩＣカード１８への記録、パーソナルコンピュータへの転送等の処理を行なうものである。
【００２６】
撮像部３は、カメラ本体部２の高さ方向の長さ寸法と略同一の長さ寸法を有し、かつ、カメラ本体部２の幅寸法と略同一の寸法を有する縦長直方体状の撮像部本体３Ａを備え、この撮像部本体３Ａの一方側面には撮像部３をカメラ本体部２に装着するための装着部３Ｂが突設されている。撮像部３は、撮像部本体３Ａを一方向に長い直方体状とし、保管時にはカメラ本体部２の側面に沿わせてセットできるようにしているので、デジタルカメラ１の幅寸法を大きくすることなく光軸方向に長いズームレンズの採用が可能になっている。なお、装着部３Ｂによる撮像部３のカメラ本体部２への装着機構については後述する。
【００２７】
撮像部本体３Ａの内部には、図６に示すように、マクロズームレンズ３０１が配設され、このマクロズームレンズ３０１の後方位置の適所にＣＣＤカラーエリアセンサ３０３を備えた撮像回路３０２が設けられている。また、撮像部３内の適所にフラッシュ光の被写体からの反射光を受光する調光センサ３０５を備えた調光回路３０４が設けられている。調光センサ３０５は、装着部３Ｂの前端面の適所に配置されている。
【００２８】
一方、撮像部本体３Ａの外部には、図２に示すように、カメラ本体部２の背面と平行な側面（撮像部３を回転基準位置から＋９０°回転させたとき、上側となる側面）に上記マクロズームレンズ３０１のズーム比の変更及びズームとマクロとの切換を行なうためのズームレバー３０６が設けられ、このズームレバー３０６より右斜め前方位置に、撮像部３のカメラ本体部２からの離脱を可能にするロック解除レバー３０７が設けられている。
【００２９】
ズームレバー３０６は、横方向（撮像部３の光軸に対して垂直方向）にスライド可能なレバーで、このズームレバー３０６をズーム位置ＰＺで横方向に左右にスライドさせてマクロズームレンズ３０１のズーム比が変更される。また、ズームレバー３０６を上記ズーム位置ＰＺを越えて右方向にスライドさせ、マクロ位置ＰＭに設定すると、マクロズームレンズ３０１がマクロレンズに切り換えられる。マクロ位置ＰＭでは、被写体におよそ５０ｃｍまで近接して撮影することができる。
【００３０】
カメラ本体部２の前面には、図１に示すように、左端部の適所にグリップ部４が設けられ、右端部の上部適所に内蔵フラッシュ５が設けられている。また、カメラ本体部２の上面には、図３に示すように、略中央に記録画像を再生する際のコマ送り用のスイッチ６，７が設けられている。スイッチ６は、記録画像をコマ番号が増大する方向（撮影順の方向）にコマ送りするためのスイッチ（以下、ＵＰスイッチという。）であり、スイッチ７は、記録画像をコマ番号が減少する方向にコマ送りするためのスイッチ（以下、ＤＯＷＮスイッチという。）である。また、背面側からみてＤＯＷＮスイッチ７の左側にＩＣカード１８に記録された画像を消去するための消去スイッチ８が設けられ、ＵＰスイッチ６の右上にシャッタボタン９が設けられている。
【００３１】
カメラ本体部２の背面には、図２に示すように、左端部の略中央に撮影画像のモニタ表示（ビューファインダーに相当）及び記録画像の再生表示等を行なうためのＬＣＤ表示部１０が設けられている。また、ＬＣＤ表示部１０の上方位置にフラッシュ発光に関するＦＬモード設定スイッチ１１が設けられ、ＬＣＤ表示部１０の下方位置に、ＩＣカード１８に記録される画像データの圧縮率Ｋを切換設定するための圧縮率設定スイッチ１２とパーソナルコンピュータが外部接続される接続端子１３とが設けられている。ＦＬモード設定スイッチ１１は、プッシュスイッチからなり、圧縮率設定スイッチ１２は、２接点のスライドスイッチからなる。
【００３２】
デジタルカメラ１には、フラッシュ発光に関するモードとして被写体輝度に応じて自動的に内蔵フラッシュ５を発光させる「自動発光モード」、被写体輝度に関係なく内蔵フラッシュ５を強制的に発光させる「強制発光モード」及び内蔵フラッシュ５の発光を禁止する「発光禁止モード」が設けられ、上記ＦＬモード設定スイッチ１１を押す毎に「自動発光」、「強制発光」及び「発光禁止」の各モードがサイクリックに切り換わり、いずれかのモードが選択設定されるようになっている。また、デジタルカメラ１は、１／８と１／２０の２種類の圧縮率Ｋが選択設定可能になされ、例えば圧縮率設定スイッチ１２を右にスライドすると、圧縮率Ｋ＝１／８が設定され、左にスライドすると、圧縮率Ｋ＝１／２０が設定される。なお、本実施の形態では、２種類の圧縮率Ｋが選択設定できるようにしているが、３種類以上の圧縮率Ｋを選択設定できるようにしてもよい。
【００３３】
更に、カメラ本体部２の背面の右端上部には、「撮影モード」と「再生モード」とを切換設定する撮影／再生モード設定スイッチ１４が設けられている。撮影モードは、写真撮影を行なうモードであり、再生モードは、ＩＣカード１８に記録された撮影画像をＬＣＤ表示部１０に再生表示するモードである。撮影／再生モード設定スイッチ１４も２接点のスライドスイッチからなり、例えば右にスライドすると、再生モードが設定され、左にスライドすると、撮影モードが設定される。
【００３４】
カメラ本体部２の底面には、図８に示すように、電源電池Ｅの電池装填室１６とＩＣカード１８のカード装填室１７とが設けられ、両装填室１６，１７の装填口は、図７に示すように、クラムシェルタイプの蓋１５により閉塞されるようになっている。本実施の形態におけるデジタルカメラ１は、４本の単三形乾電池Ｅ１〜Ｅ４を直列接続してなる電源電池Ｅを駆動源としており、カメラ本体部２の下部には、各電池Ｅ１〜Ｅ４が装填される４個の円筒状の装填室を一列に配列してなる電池装填室１６が下面中央よりやや右側にずれた位置に横方向に配設されている。また、電池装填室１６より前面側に電池装填室１６と平行に帯状の装填口を有するカード装填室１７が配設されている。
【００３５】
蓋１５の裏面（装填室１６，１７を臨む面）の上記電池装填室１６に対向する位置には、電池Ｅ１，Ｅ２を接続する導電性の接続片１５ａと電池Ｅ３，Ｅ４を接続する導電性の接続片１５ｂとが設けられ、蓋１５を閉塞すると、接続片１５ａ，１５ｂと電池Ｅ１〜Ｅ４とが接触して電源電池Ｅが構成されるようになっている。
【００３６】
本実施の形態に係るデジタルカメラ１では、上記のように、電池装填室１６の蓋とカード装填室１７の蓋とを共通化しているので、両装填室の配置がコンパクトになるとともに、装着脱時のＩＣカード１８の保護が確実に行なえるようになっている。すなわち、ＩＣカード１８の装着時においては、ＩＣカード装着後に蓋１５を閉塞することにより電源電池Ｅが内部回路に接続され、ＩＣカード１８の脱着時においては、ＩＣカード脱着前に蓋１５を開放することにより電源電池Ｅの内部回路との接続が解除されるので、確実に、電源ＯＦＦの状態でＩＣカード１８の装着脱を行なうことができる。
【００３７】
なお、電池装填室１６及びカード装填室１７の位置関係は、図８のように、カメラ本体２の幅方向に並べたものに限定されるものではなく、例えば図９若しくは図１０に示すように、４個の円筒状の電池装填室を二列に配列してなる電池装填室１６′とカード装填室１７とを横方向に並べるようにしてもよい。この場合、電池装填室１６′がカード装填室１７に対して右端側となる図９の例にするのが好ましい。カメラ本体２の右端側ほど、蓋１５の開度が大きくなるので、電池Ｅ１〜Ｅ４の装着脱が容易となるからである。
【００３８】
電池装填室１６の内壁の適所には、図１１及び図１２に示すように、ゴム、樹脂等からなる摩擦部材２０が設けられている。この摩擦部材２０は、カメラ本体２の下面を下方向にして蓋１５が開放された場合の電池Ｅ１〜Ｅ４の落下を防止し、電池Ｅ１〜Ｅ４の取出しを容易にするためのものである。なお、電池Ｅ１〜Ｅ４の落下防止部材として摩擦部材２０に換えて、図１３に示すように、バネ部材２１を設けてもよく、図１４に示すように、摩擦ボール２２によるストッパー機構を設けてもよい。
【００３９】
なお、図１４に示すストッパー機構は、電池装填室１６の開口が上向きのときは（同図（ａ））、摩擦ボール２２が円錐状のボール保持部１６ａの底部側にあり、摩擦ボール２２と電池Ｅ２との間に隙間が生じるので、電池Ｅ２を容易に引き出すことができるが、電池装填室１６の開口が下向きのときは（同図（ｂ））、摩擦ボール２２がボール保持部１６ａの頭部側に移動し、ボール保持部１６ａと電池Ｅ２との間に介在して電池Ｅ２の落下を防止するものである。
【００４０】
次に、撮像部３のカメラ本体部２への装着機構について説明する。
【００４１】
正面から見てカメラ本体部２の右側面には、図１５に示すように、撮像部３が着脱可能に装着される接続板２３が、右側面と平行な平面内に回動自在に設けられている。この接続板２３の回動によりカメラ本体部２に取り付けられた撮像部３が回転基準位置を基準として略±（９０＋α）°の範囲で回動する。
【００４２】
装着部３Ｂの装着面３０８には、図１６に示すように、周縁適所に４個の係合爪３１０ａ〜３１０ｄが突設された長方形状の孔３０９が設けられ、この孔３０９に上記接続板２３を嵌入して撮像部３がカメラ本体部２に装着されるようになっている。
【００４３】
また、図１７に示すように、ロック解除レバー３０７の裏面には装着面３０８に装着された接続板２３をロックするキー部材３１１が突設されている。ロック解除レバー３０７は、キー部材３１１を装着部３Ｂの側壁を貫通し、孔３０９側に臨ましめて装着部３Ｂに取り付けられている。また、ロック解除レバー３０７は、キー部材３１１が孔３０９の開口面に接離する方向に移動可能に取り付けられている。ロック解除レバー３０７を操作することにより、キー部材３１１は、孔３０９の開口面側に設けられたロック位置と開口面より奥側に設けられたロック解除位置とに移動可能になっている。ロック解除レバー３０７は、スプリング３１２によりロック位置に付勢されており、このスプリング３１２の付勢力に抗してロック解除位置に移動させると、接続板２３を介してカメラ本体部２に装着された撮像部３を離脱することができるようになっている。
【００４４】
上記接続板２３の装着面には複数の接続端子２３４が設けられる一方、上記装着部３Ｂの孔３０９内に上記接続板２３の装着面の接続端子２３４に対向して複数の接続端子（図略）が設けられており、接続板２３を介して撮像部３をカメラ本体部２に取り付けると、撮像部３とカメラ本体部２とが上記接続端子２３４を介して電気的に接続されるようになっている。
【００４５】
接続板２３には、両長辺の適所に長方形状の凹部２３１ａ，２３１ｂが穿設され、接続端子２３４が設けられていない面（以下、この面を裏面という。）の一方の両隅部と上記凹部２３１ａ，２３１ｂに連続する位置に、それぞれ溝を形成して装着部３Ｂの係合爪３１０ａ〜３１０ｄがそれぞれ係合する係合部２３２ａ，２３２ｂ，２３２ｃ，２３２ｄが設けられている。また、接続端子２３４が設けられた面（以下、この面を表面という。）には、凹部２３１ａが穿設された長辺の適所に溝を形成して装着部３Ｂのキー部材３１１が嵌入係合される係合部２３３が設けられている。
【００４６】
撮像部３の装着部３Ｂは、以下の手順でカメラ本体部２の接続板２３に取り付けられる。すなわち、まず、孔３０９の係合爪３１０ｃ，３１０ｄがそれぞれ接続板２３の凹部２３１ａ，２３１ｂに対向するように、装着部３Ｂの装着面３０８を接続板２３と平行に配置した後、装着部３Ｂを接続板２３に押し当てる。このとき、係合爪３１０ｃ，３１０ｄがそれぞれ接続板２３の凹部２３１ａ，２３１ｂに嵌入する一方、キー部材３１１が接続板２３の表面に押されてスプリング３１２の付勢力に抗してロック解除位置に移動し、装着部３Ｂは、接続板２３の裏面が装着部３Ｂの装着面３０８と同一になるまで押し当てられる。この後、装着部３Ｂを後端側（図１６のＢ方向）に移動させると、装着部３Ｂの係合爪３１０ａ〜３１０ｄがそれぞれ接続板２３の係合部２３２ａ〜２３２ｄに係合して装着部３Ｂが接続板２３に離脱不能に装着されるとともに、キー部材３１１がスプリング３１２の付勢力によりロック位置に移動して係合部２３３に嵌入し、接続板２３への撮像部３の取付状態がロックされる。
【００４７】
なお、撮像部３の接続板２３からの取外しは、ロック解除レバー３０７を装着面３０８から離れる方向（図１７のＣ方向）に操作してキー部材３１１をロック解除位置に移動させ、キー部材３１１と係合部２３３との係合を解除し、この状態で装着部３Ｂを接続板２３に対してＢ方向と逆方向に相対移動させた後、装着部３Ｂを接続板２３から離隔する方向に移動させることにより行なわれる。
【００４８】
次に、接続板２３のカメラ本体部２への取付構造を説明する。
【００４９】
図１８は、接続板ユニットの構造を示す分解斜視図である。接続板ユニットは、接続板２３、基板２４、補強板２５、摺動リング２６、回転支持部材２７及びクリック部材２８から構成されている。
【００５０】
接続板２３の裏面には凹部２３５が設けられ、この凹部２３５内に接続端子２３４及びこの接続端子２３４に接続される信号線路が形成された基板２４が収納されている。また、接続板２３の裏面には、長手方向の中心軸上の下方向に偏心した位置に、一部側面がカットされ、中心軸上に雌ネジ（図略）が形成された柱状の雌ネジ部２３６が突設されている。
【００５１】
雌ネジ部２３６の側面カット部分は、上記信号線路をカメラ本体部２内に導くスペースを設けるためのものである。また、接続板２３における雌ネジ部２３６の位置を中心より下方向に偏心させているのは、撮像部３を回転基準位置から回転させた状態でデジタルカメラ１を机等に載置した場合にもカメラ姿勢の安定性を確保するためである。
【００５２】
すなわち、図２２において、撮像部３が回転基準位置にあるとき、撮像部３及びカメラ本体の重心位置がほぼカメラ本体部の縦方向の中心ラインＭ上にあるとすると、例えば撮像部３を回転基準位置から＋９０°回転した位置（以下、この位置を正面撮像位置という。）に回転すると、撮像部３の重心位置Ｇはカメラの幅方向において中心ラインＭよりカメラの前方に移動し、これによりカメラ本体部２に対してカメラ本体部２の底面を支点として前方に回転させるモーメントが作用するようになる。
【００５３】
接続板２３の雌ネジ部２３６は、カメラ本体部２に接続された撮像部３の回転軸となるものであり、図２３に示すように、この回転軸の位置Ｎ′を上記モーメントの支点となるカメラ本体部２の底面に近づけるほど、モーメントは小さくなり、安定性が高くなるから、本実施の形態では、接続板２３の雌ネジ部２３６をできるだけカメラ本体部２の右側面の長手方向の中心位置Ｎより下方向にずらせるようにしている。
【００５４】
本実施の形態では、撮像部３を縦方向の直方体状とし、光軸方向に長い撮像光学系を採用しているので、光軸方向に短い撮像光学系を採用したものよりも上記モーメントが大きくなる。従って、上記構成により、撮像部３を正面撮像位置に設定した状態でデジタルカメラ１を机等に載置して撮像する場合にもカメラ姿勢を安定に保持することができるようにしている。
【００５５】
図１８に戻り、補強板２５は、基板２４が収納された接続板２３の凹部２３５を封止するとともに、接続板２３を補強するものである。補強板２５の適所には接続板２３の雌ネジ部２３６が貫通する貫通孔２５１が穿設され、この貫通孔２５１の下方位置の適所に、摺動リング２６の鍔部２６２に突設された係合突起２６４が係合する係合孔２５２が穿設されている。
【００５６】
摺動リング２６は、接続板２３の回転動作における回転角度を規制するものである。摺動リング２６は、側面の一方端に段差を有する鍔部２６２が形成された円板状のリング部材からなる。摺動リング２６の段差のある側を表面とすると、摺動リング２６の中央のリング部２６１の表面側の適所には、図１９に示すように、切欠２６１Ａが形成され、この切欠２６１Ａを基準として±（９０＋α）の角度に亘り、リング部２６１の側面に沿って鍔部２６２にＣ字状の溝２６３が穿設されている。上記切欠２６１Ａは、後述するクリック部材２８に設けられた係合突起が係合されるものである。また、上記溝２６３は、後述する回転支持部材２７に設けられたガイドピン２７５が遊嵌される案内溝である。
【００５７】
また、鍔部２６２の周縁部の表面には、上記切欠２６１Ａと同一方向に切欠２６２Ａが形成されるとともに、＋９０°の方向に切欠２６２Ａより中心Ｏ側に位置をずらせて切欠２６２Ｂが形成されている。切欠２６２Ａは、接続板２３に装着された撮像部３が回転基準位置にセットされたことを検出してメイン電源をオフにするためのものであり、切欠２６２Ｂは、接続板２３に装着された撮像部３が正面撮像位置にセットされ、その撮像（光軸）方向が内蔵フラッシュ５の発光（光軸）方向と平行になっていることを検出するためのものである。また、鍔部２６２の裏面の上記切欠２６１Ａと反対方向の適所に補強板２５の係合孔２５２に係合する係合突起２６４が突設されている。
【００５８】
回転支持部材２７は、接続板２３の回転を支持するとともに、接続板ユニットをカメラ本体部２の右側面に取り付けるための部材である。回転支持部材２７は、円板状の支持部２７１の上下に矩形板状の取付部２７２，２７２′を形成してなるもので、取付部２７２，２７２′の四隅をネジ止めして接続板ユニットがカメラ本体部２の右側面に取り付けられるようになっている。支持部２７１の中心を通る回転支持部材２７の長手方向の中心軸の上方向（図１８のＤ方向）を基準方向とすると、回転支持部材２７は、基準方向をカメラ本体部２に対する撮像部３の回転基準の方向（図４のＡ方向）に一致させてカメラ本体部２に取り付けられる。
【００５９】
回転支持部材２７の支持部２７１には摺動リング２６のリング部２６１が貫通する孔２７３が穿設されている。支持部２７１のカメラ本体部２の内側に臨む面（図１８において左側の面。以下、内側面という。）には、孔２７３の周りに環状の縁部２７４が突設され、支持部２７１の外側に臨む面（以下、外側面という。）には、摺動リング２６の鍔部２６２が嵌合される凹部（図１８では見えていない）が形成されている。
【００６０】
上記縁部２７４の外周面の基準方向に対して±９０°方向及び１８０°方向の位置にＵ字形の小溝２７４ａ〜２７４ｃが形成されている。この小溝２７４ａ〜２７４ｃは、接続板２３に装着された撮像部３の回転動作を回転基準位置と回転基準位置に対して±９０°回転した位置とに一時停止させるためのものである。
【００６１】
支持部２７１の内側面の基準方向の適所に、接続板２３が回転支持部材２７と同一方向（接続板２３の長手方向の中心軸方向（図１８のＥ方向）が回転支持部材２７のＤ方向と一致する方向）となる位置でメイン電源をオフにするスイッチ２９と、接続板２３が回転支持部材２７に対して＋９０°回転した位置にあることを検出するスイッチ３０とが設けられている。接続板２３が回転支持部材２７と同一方向となる位置は、接続板２３に装着された撮像部３が回転基準位置にセットされる位置であり、接続板２３が回転支持部材２７に対して＋９０°回転した位置は、接続板２３に装着された撮像部３が正面撮像位置にセットされる位置である。
【００６２】
従って、スイッチ２９は、撮像部３が回転基準位置にセットされると、メイン電源をオフにし、撮像部３が回転基準位置以外にセットされると、メイン電源をオンにする。また、スイッチ３０は、撮像部３が正面撮像位置にセットされたことを検出するスイッチとなっている。
【００６３】
また、支持部２７１の外側面に形成された凹部の基準方向の適所に、摺動リング２６の溝２６３に遊嵌するガイドピン２７５が突設されている。
【００６４】
ここで、スイッチ２９，３０の位置検出動作について簡単に説明する。
【００６５】
図２０は、スイッチ２９の位置検出状態を示す要部断面図であり、図２１は、スイッチ３０の位置検出状態を示す要部断面図である。
【００６６】
スイッチ２９，３０はモメンタリープッシュスイッチからなる。回転支持部材２７の凹部に摺動リング２６が嵌合された状態においては、スイッチ２９のレバー２９Ａは摺動リング２６の鍔部２６２の切欠２６２Ａを通るトラック（図１９のＴＲ１参照）上に位置し、スイッチ３０のレバー３０Ａは摺動リング２６の鍔部２６２の切欠２６２Ｂを通るトラック（図１９のＴＲ２参照）上に位置している。
【００６７】
スイッチ２９は、接続板２３が回転基準位置以外にあるときは、鍔部２６２によりレバー２９Ａがスイッチ本体２９Ｂ内に没入され、オン状態となっているが（図２１参照）、接続板２３が回転基準位置に移動すると、レバー２９Ａが切欠２６２Ａに嵌入してスイッチ本体２９Ｂから突出するので、オフ状態となる（図２０参照）。スイッチ２９は、メイン電源（電源電池Ｅ）の供給線路上に設けられており、オン状態で給電線路を開成して電源を供給し、オフ状態で給電線路を閉成して給電を遮断する。
【００６８】
同様に、スイッチ３０は、接続板２３が正面撮像位置以外にあるときは、鍔部２６２によりレバー３０Ａがスイッチ本体３０Ｂ内に没入され、オン状態となっているが（図２０参照）、接続板２３が正面撮像位置に移動すると、レバー３０Ａが切欠２６２Ｂに嵌入してスイッチ本体３０Ｂから突出するので、オフ状態となり（図２１参照）、このオフ信号により接続板２３が正面撮像位置にあることが検出される。
【００６９】
なお、本実施の形態では、接続板２３の正面撮像位置の検出素子としてメカニカルスイッチを用いているが、光センサや磁気センサを用いて接続板２３の回転位置を検出するようにしてもよい。また、エンコーダにより接続板２２の任意の回転位置を検出するようにしてもよい。
【００７０】
図１８に戻り、クリック部材２８は、接続板２３及び摺動リング２６を回転支持部材２７の支持部２７１に回転可能に支持するものである。クリック部材２８は筒状の部材からなり、一方端の周縁に摺動リング２６の切欠２６１Ａに係合する係合突片２８１が設けられるとともに、この係合突片２８１の反対位置に、接続板２３が回転基準位置と正面撮像位置とに設定されたとき、回転支持部材２７の支持部２７１に設けられた小溝２７４ａ〜２７４ｃに没入してクリック感を与える突部２８２が設けられている。また、筒状体の上記突部２８２が設けられた側面に、断面コ字型の配線保持部２８３が形成されている。この配線保持部２８３は、カメラ本体部２から回転支持部材２７の孔２７３、摺動リング２６のリング部２６１及び補強板２５の貫通孔２５１を通して接続板２３に配線される信号線路の案内と保持とを行なうものである。
【００７１】
クリック部材２８の貫通孔２８４には一方端の近傍位置に段差２８４ａが設けられ、貫通孔２８４に嵌入されたネジ３１を接続板２３の雌ネジ部２３６に螺合してクリック部材２８と接続板２３とが固着されるようになっている。
【００７２】
上記構成において、凹部２３５に基板２４が配設され、補強板２５が取り付けられた接続板２３は、リング部２６１に雌ネジ部２３６を貫通させ、かつ、係合突起２６４を係合孔２５２に係合させて摺動リング２６が取り付けられ、更に、この状態で支持部２７１のガイドピン２７５が溝２６３を貫通するように摺動リング２６のリング部２６１を孔２７３に嵌入して、回転支持部材２７の外側面に取り付けられる。
【００７３】
そして、回転支持部材２７の内側面に、係合突片２８１を孔２７３を通して摺動リング２６の切欠２６１Ａに係合するとともに、突部２８２を支持部２７１の縁部２７４の外周面に当接させ、この状態で、貫通孔２８４にネジ３１を挿入し、このネジ３１を接続板２３の雌ネジ部２３６に螺合してクリック部２８と接続板２３とが回転支持部材２７に対して一体回転可能に固着され、これにより接続板ユニットが完成する。そして、この接続板ユニットは、正面から見てカメラ本体部２の右側面に、回転支持部材２７の取付部２７２，２７２′の両隅部をネジ止めして取り付けられる。
【００７４】
接続板ユニットをカメラ本体部２の右側面に取り付けた状態で、接続板２３が回転基準位置にあるときは、上記のようにスイッチ２９がオフ状態となるので、撮像部３を回転基準位置に設定することによりメイン電源が自動的にオフになり、撮像部３を回転基準位置以外に設定することによりメイン電源が自動的にオンになる。
【００７５】
撮像部３を回転基準位置から回転させると、接続板２３、摺動リング２６及びクリック部材２８が一体回転し、回転基準位置から±９０°回転した位置に至ると、クリック部材２８の突部２８２が回転支持部材２７の小溝２７４ａ又は小溝２７４ｂに没入して撮像部３がその位置に保持される。
【００７６】
このように、回転基準位置及び±９０°回転した位置では撮像部３の自由な回転を停止させ、その停止状態を保持させるようにしているので、保管時や正面撮像位置でのセルフタイマ撮影でデジタルカメラ１の姿勢を安定に保つことができる。
【００７７】
また、撮像部３が正面撮像位置に回転したときは、上記のようにスイッチ３０からオフ信号が出力されるので、このオフ信号により撮像部３の撮像方向が内蔵フラッシュ５の発光方向に一致していることが検出される。スイッチ３０からの出力信号は、後述するように、デジタルカメラ１の内蔵フラッシュ５の発光制御に使用され、スイッチ３０からオフ信号が出力されると（すなわち、撮像部３の撮像方向が内蔵フラッシュ５の発光方向にセットされると）、内蔵フラッシュ５の発光が許可され、オン信号が出力されると（すなわち、撮像部３の撮像方向が内蔵フラッシュ５の発光方向と異なる方向にセットされると）、内蔵フラッシュ５の発光が禁止される。
【００７８】
撮像部３が正面撮像位置に設定されていないとき、内蔵フラッシュ５の発光を強制的に禁止するのは、本実施の形態ではカメラ本体部２に内蔵フラッシュ５がを設けられているので、撮像方向とフラッシュの発光方向とが一致していないときは、撮像される範囲とフラッシュが照射される範囲とがずれてしまうので、撮影範囲内の被写体をむらなくフラッシュ光で照射することができず、好適なフラッシュ撮影を行なうことができなくなるからである。
【００７９】
撮像部３が回転基準位置から±９０°を越えて所定の角度α°回転されると、回転支持部材２７のガイドピン２７５が摺動リング２６の溝２６３の両端に当接して接続板２３の回転動作が規制され、これにより撮像部３は回転基準位置±（９０＋α）°の範囲で回転可能となる。
【００８０】
なお、本実施の形態では、撮像部３をカメラ本体部２の右側面に取り付けているが、カメラ本体部２の左側面に取り付けるようにしてもよい。
【００８１】
ところで、上述の説明は、撮像部３が直接、カメラ本体部２に装着される場合の構成であったが、撮像部３は、専用の接続ケーブルを介してカメラ本体部２に接続することができる。
【００８２】
図２４は、接続部３をカメラ本体部２に接続するための接続ケーブルの外観図である。
【００８３】
接続ケーブル３２は、１ｍ乃至数ｍのケーブル長を有するケーブル３２１の一方端に接続板２３と同一の接続構造を有する接続部３２２が設けられ、他方端に撮像部３の装着部３Ｂと同一の接続構造を有する接続部３２３を設けられたものである。装着部３の装着部３Ｂに接続される接続部３２２と接続板２３に接続される接続部３２３の内部には、図２５に示すように、撮像信号の線路上に、それぞれバッファアンプ３３と、例えばゲイン６ｄＢの増幅回路３４とが設けられている。バッファアンプ３３と増幅回路３４とは、カメラ本体部２から撮像部３に電源を供給するための電源ラインにより駆動電源が供給されるようになっている。なお、抵抗Ｒ１，Ｒ２は、インピーダンスマッチング用の抵抗である。
【００８４】
バッファアンプ３３は、撮像部３の出力のインピーダンス変換を行なってケーブル３２１を伝送する間の撮像信号の波形歪みを低減するものであり、増幅回路３４は、インピーダンス整合による撮像信号の減衰を補償するものである。すなわち、バッファアンプ３３を設けなかった場合、図２６（ａ）（ｃ）に示すように、ケーブル３２１の出力端における撮像信号ＳG2は、ケーブル３２１の入力端における撮像信号ＳG1に比して著しく波形が歪み、減衰したものとなるが、バッファアンプ３３及び増幅回路３４を設けることにより、上記波形歪みが低減されるとともに、レベル低下が補償されるので、ケーブル３２１の出力端における撮像信号を、同図（ｂ）のＳG2′のように改善することができる。これによりカメラ本体部２内における撮像信号のＡ／Ｄ変換その他の信号処理を容易かつ正確にし、撮像画像の画質低下を防止するようにしている。
【００８５】
なお、バッファアンプ３３及び増幅回路３４のいずれか一方若しくは両方をそれぞれ撮像部３とカメラ本体部２の内部に設けるようにしてもよいが、この場合は、撮像部３及びカメラ本体部２内の回路構成が増大するとともに、接続ケーブルの有無に関係なくバッファアンプ３３及び増幅回路３４に電源が供給され、不必要に電力が消費されるので、好ましくは、本実施の形態のように、接続ケーブル内に設けるほうがよい。
【００８６】
図２７は、デジタルカメラ１のブロック図である。
【００８７】
同図は、カメラ本体部２と撮像部３とを接続ケーブル３２により接続した場合のブロック図である。同図において、図１〜図８，図１５に示した部材と同一部材には同一の番号を付している。
【００８８】
撮像部３内のマクロズームレンズ３０１には開口量が固定された絞り部材（固定絞り）が設けられている。また、信号処理回路３１３及びタイミングジェネレータ（Ｔ・Ｇ）３１４は、上記撮像回路３４の構成要素である。ＣＣＤエリアセンサ３０３（以下、ＣＣＤ３０３と略称する。）は、ＣＣＤカラーエリアセンサからなる撮像素子で、マクロズームレンズ３０１により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００８９】
撮像部３における露出制御は、絞りが固定絞りとなっているので、ＣＣＤ３０３の露光量、すなわち、シャッタスピードに相当するＣＣＤ３０３の電荷蓄積時間を調節して行なわれる。被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、シャッタスピードとゲイン調整とを組み合わせて露出制御が行なわれる。画像信号のレベル調整は、後述する信号処理回路３１３内のＡＧＣ回路のゲイン調整において行なわれる。
【００９０】
タイミングジェネレータ３１４は、カメラ本体部２から接続ケーブル３２若しくは接続板２３を介して送信される基準クロックＣＬＫ０に基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００９１】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。なお、ＡＧＣ回路のゲインは、制御部２１１により接続ケーブル３２若しくは接続板２３を介して自動設定される。
【００９２】
調光回路３０４は、フラッシュ撮影における内蔵フラッシュ５の発光量を制御部２１１により接続ケーブル３２若しくは接続板２３を介して設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から接続ケーブル３２若しくは接続板２３を介してカメラ本体部２内に設けられたＦＬ制御回路２１４に発光停止信号ＳＴＰが出力される。ＦＬ制御回路２１４は、この発光停止信号ＳＴＰに応答して内蔵フラッシュ５の発光を強制的に停止し、これにより内蔵フラッシュ５の発光量が所定の発光量に制御される。
【００９３】
スイッチＳMACROは、マクロズームレンズ３０１がマクロレンズに切り換えられたことを検出するスイッチである。スイッチＳMACROは、ズームレバー３０６がマクロ位置ＰＭに設定されると、オンになる。
【００９４】
スイッチＳMAINは、デジタルカメラ１の電源スイッチで、上記スイッチ２９に相当するものである。スイッチＳMAINは、撮像部３が回転基準位置に設定されているとき、オフになり、撮像部３が回転基準位置以外の位置に設定されているとき、オンになる。
【００９５】
また、スイッチＳCPOSは、撮像部３が正面撮像位置に設定されていることを検出するスイッチで、上記スイッチ３０に相当するものである。スイッチＳCPOSは、撮像部３が正面撮像位置に設定されると、オンになる。スイッチＳMAIN，ＳMACRO，ＳCPOSの検出信号は接続ケーブル３２若しくは接続板２３を介して制御部２１１に入力される。
【００９６】
接続ケーブル３２には、接地された接続端子ｆ１が設けられている。この接続端子ｆ１は、制御部２１１に接続ケーブル３２の接続信号を入力するためのものである。すなわち、制御部２１１の接続端子ｆ１が接続される端子ｄは、制御部２１１に電源が供給されると、ハイレベルに設定されるようになされ、カメラ本体部２に接続ケーブル３２が接続されると、ローレベルの接続信号が入力される。制御部２１１は端子ｄのローレベル状態により接続ケーブル３２の接続を識別する。
【００９７】
カメラ本体部２内において、Ａ／Ｄ変換器２０５は、撮像部３から接続ケーブル３２を介して入力された画像信号の各画素信号を１０ビットのデジタル信号に変換するものである。Ａ／Ｄ変換器２０５は、Ａ／Ｄクロック発生回路２０３から入力されるＡ／Ｄ変換用のクロックＣＬＫ２に基づいて各画素信号（アナログ信号）を１０ビットのデジタル信号に変換する。
【００９８】
カメラ本体部２内には、基準クロックＣＬＫ０を発生する基準クロック発生回路２０１、タイミングジェネレータ３１４に対するクロックＣＬＫ１を生成するＴ・Ｇクロック発生回路２０２及びＡ／Ｄ変換器２０５に対するクロックＣＬＫ２を生成するＡ／Ｄクロック発生回路２０３が設けられている。更に、Ａ／Ｄクロック発生回路２０３は内部に遅延回路２０４を備えている。
【００９９】
基準クロック発生回路２０１、Ｔ・Ｇクロック発生回路２０２及びＡ／Ｄクロック発生回路２０３の駆動は、制御部２１１により制御される。Ｔ・Ｇクロック発生回路２０２は、基準クロックＣＬＫ０に基づきクロックＣＬＫ１を生成し、このクックＣＬＫ１を接続板２３若しくは接続ケーブル３２を介して撮像部３内のタイミングジェネレータ３１４に出力する。
【０１００】
また、Ａ／Ｄクロック発生回路２０３は、撮像部３が接続板２３を介してカメラ本体部２に接続されているときは、基準クロックＣＬＫ０に基づきＡ／Ｄ変換用のクロックＣＬＫ２を生成し、このクロックＣＬＫ２をＡ／Ｄ変換器２０５に出力し、撮像部３が接続ケーブル３２を介してカメラ本体部２に接続されているときは、Ａ／Ｄクロック発生回路２０３により基準クロックＣＬＫ０に基づきクロックＣＬＫ２より所定時間Δｔだけ遅延したクロックＣＬＫ２′を生成し、このクロックＣＬＫ２′をＡ／Ｄ変換器２０５に出力する。接続ケーブル３２の有無の情報は、制御部２１１からＡ／Ｄクロック発生回路２０３に入力され、Ａ／Ｄクロック発生回路２０３は、この情報に基づきクロックＣＬＫ２又はＣＬＫ２′のいずれかを生成する。
【０１０１】
上記遅延時間Δｔは、接続ケーブル３２がない場合のＡ／Ｄ変換器２０５に入力される画像信号ＳG2（撮像部３から出力される画像信号ＳG1と略同一の信号）と接続ケーブル３２がある場合のＡ／Ｄ変換器２０５に入力される画像信号ＳG2′と位相差に相当する時間である。この遅延時間Δｔは、接続ケーブル３２の長さが一定であれば、一定であるので、遅延回路２０４に予め設定されている。
【０１０２】
従って、撮像部３が接続ケーブル３２を介してカメラ本体部２に接続されているとき、図２８に示すように、接続ケーブル３２がない場合のＡ／Ｄ変換器２０５に入力される画像信号ＳG2と接続ケーブル３２がある場合のＡ／Ｄ変換器２０５に入力される画像信号ＳG2′との間には位相差θが生じるが、クロックＣＬＫ２′をクロックＣＬＫ２よりθだけ遅延させて画像信号ＳG2′の各画素信号に同期させるようにしているので、画像信号ＳG2のＡ／Ｄ変換を正確かつ確実に行なうことができるようなっている。
【０１０３】
なお、図２８において、ｇ(i)（ｉ＝１，２，…）は、画像信号を構成する各画像信号を示している。また、Ａ／Ｄ変換はクロックＣＬＫ２，ＣＬＫ２′の立上りタイミングで行なわれ、クロックＣＬＫ２，ＣＬＫ２′は、立上りタイミングが各画素信号ｇ(i)の略中央となるようにＡ／Ｄ変換器２０５に入力される。
【０１０４】
本実施の形態は、ケーブル長が１種類の場合のものであるが、長さの異なる複数の接続ケーブル３２が用意されている場合は、各接続ケーブル３２毎に位相差θが異なるので、各接続ケーブル３２に対応する複数の遅延時間Δｔを遅延回路２０４に記憶しておき、接続された接続ケーブル３２に応じて遅延回路２０４の遅延時間Δｔを選択的に設定するようにするとよい。この場合、各接続ケーブル３２に一部若しくは全てが接地された２個以上の接続端子ｆ１，ｆ２，…を設け、接続端子ｆ１，ｆ２，…の接地情報から接続された接続ケーブル３２の種類を識別し、遅延回路２０４の遅延時間Δｔを接続された接続ケーブル３２に対応する所定の時間に自動設定するようにするとよい。例えば２個の接続端子ｆ１，ｆ２を設けた場合、接続端子（ｆ１，ｆ２）の接地側を「１」，開放側を「０」で表すと、（ｆ１，ｆ２）＝（１，０）、（０，１）、（１，１）の３種類の組み合わせが考えられるから、接続端子（ｆ１，ｆ２）の接地情報から長さの異なる３種類の接続ケーブル３２を識別し、接続端子（ｆ１，ｆ２）の接地情報に基づき使用された接続ケーブル３２に対応する遅延時間Δｔを自動設定することができる。
【０１０５】
また、本実施の形態では、クロックＣＬＫ２を遅延してクロックＣＬＫ２′を生成するようにしていたが、クロックＣＬＫ２の位相をシフトしてクロックＣＬＫ２′を生成するようにしてもよく、基準クロックＣＬＫ０の分周タイミングを制御してクロックＣＬＫ２′を直接、生成するようにしてもよい。
【０１０６】
黒レベル補正回路２０６は、Ａ／Ｄ変換された画素信号（以下、画素データという。）の黒レベルを基準の黒レベルに補正するものである。また、ＷＢ回路２０７は、γ補正後にホワイトバランスも合わせて調整されるように、Ｒ，Ｇ，Ｂの各色成分の画素データのレベル変換を行なうものである。ＷＢ回路２０７は、制御部２１１から入力されるレベル変換テーブルを用いてＲ，Ｇ，Ｂの各色成分の画素データのレベルを変換する。なお、レベル変換テーブルの各色成分の変換係数（特性の傾き）は制御部２１１により撮影画像毎に設定される。
【０１０７】
γ補正回路２０８は、画素データのγ特性を補正するものである。γ補正回路２０８は、γ特性の異なる６種類のγ補正テーブルを有し、撮影シーンや撮影条件に応じて所定のγ補正テーブルにより画素データのγ補正を行なう。上記γ補正テーブルにはγ＝０．４５とγ＝０．５５のものが含まれ、γ補正回路２０８は、レリーズ待機状態において、撮像画像がＬＣＤ表示部１０にモニタ表示されるときは、その撮像画像のγ補正をγ＝０．４５のγ特性で行ない、レリーズ後の撮像画像がＩＣカード１８に記録されるときは、その撮像画像のγ補正をγ＝０．５５のγ特性で行なう。これはＬＣＤ表示部１０がγ＝２．２のγ特性を有しているのに対し、ＩＣカード１８の記録画像は、通常、γ＝１．８のγ特性を有するパーソナルコンピュータ１９の表示装置に再生表示されることが多いことから、撮像画像が再生される表示装置に応じて好適な画質となるようにするためである。
【０１０８】
なお、このγ補正処理において、１０ビットの画素データは、８ビット（２５６階調）の画素データに変換される。γ補正処理前の画像データを１０ビットデータとしているのは、非線形性の強いγ特性でγ補正を行なった場合の画質劣化を防止するためである。
【０１０９】
また、Ｒ，Ｇ，Ｂの各色成分の画像データはＷＢ回路２０７で所定のレベル変換が行なわれており、これらの画像データをそれぞれ上記γ補正テーブルでγ補正することによりγ補正とＷＢ調整とが同時に行なわれる。
【０１１０】
また、Ｒ，Ｇ，Ｂの各色成分の画像データはＷＢ回路２０７で所定のレベル変換が行なわれており、これらの画像データをそれぞれ上記γ補正テーブルでγ補正することによりγ補正とＷＢ調整とが同時に行なわれる。
【０１１１】
画像メモリ２０９は、γ補正回路２０８から出力される画素データを記憶するメモリである。画像メモリ２０９は、１フレーム分の記憶容量を有している。すなわち、画像メモリ２０９は、ＣＣＤＣ３がｎ行ｍ列の画素を有している場合、ｎ×ｍ画素分の画素データの記憶容量を有し、各画素データＧ（ｉ，ｊ）（ｉ＝１，２…ｎ、１，２，…ｍ）が対応する画素位置（ｉ，ｊ）に記憶されるようになっている。
【０１１２】
画像メモリ２１０は、ＬＣＤ表示部１０に再生表示される画像データのバッファメモリである。画像メモリ２１０は、ＬＣＤ表示部１０の画素数に対応した画像データの記憶容量を有している。
【０１１３】
撮影待機状態においては、撮像部３により１／３０（秒）毎に撮像された画像の各画素データがＡ／Ｄ変換器２０５〜γ補正回路２０８により所定の信号処理を施された後、画像メモリ２０９に記憶されるとともに、制御部２１１を介して画像メモリ２１０に転送され、ＬＣＤ表示部１０に表示される。これにより撮影者はＬＣＤ表示部１０に表示された画像により被写体像を視認することができる。また、再生モードにおいては、ＩＣカード１８から読み出された画像が制御部２１１で所定の信号処理が施された後、画像メモリ２１０に転送され、ＬＣＤ表示部１０に再生表示される。
【０１１４】
カードＩ／Ｆ２１２は、ＩＣカード１８への画像データの書込み及び画像データの読出しを行なうためのインターフィースである。また、通信用Ｉ／Ｆ２１３は、パーソナルコンピュータ１９を通信可能に外部接続するための、例えばＲＳ−２３２Ｃ規格に準拠したインターフェースである。
【０１１５】
ＦＬ制御回路２１４は、内蔵フラッシュ５の発光を制御する回路である。ＦＬ制御回路２１４は、制御部２１１の制御信号に基づき内蔵フラッシュ５の発光の有無、発光量及び発光タイミング等を制御し、調光回路３０４からケーブル３２若しくは接続板２３を介して入力される発光停止信号ＳＴＰに基づき内蔵フラッシュ５の発光量を制御する。
【０１１６】
スイッチＳUP、スイッチＳDOWN及びスイッチＳDELは、それぞれＵＰスイッチ６、ＤＯＷＮスイッチ７、消去スイッチ８に相当するスイッチである。また、スイッチＳRELは、シャッタボタン９のレリーズ操作を検出するスイッチであり、スイッチＳFL、スイッチＳCOMP及びスイッチＳP/Rは、それぞれＦＬモード設定スイッチ１１、圧縮率設定スイッチ１２、撮影／再生モード設定スイッチ１４に相当するスイッチである。
【０１１７】
制御部２１１は、マイクロコンピュータからなり、上述した撮像部３内及びカメラ本体部２内の各部材の駆動を有機的に制御してデジタルカメラ１の撮影動作を統括制御するものである。
【０１１８】
また、制御部２１１は、露出制御値（シャッタスピード（ＳＳ））を設定するための輝度判定部２１１ａとシャッタスピード設定部２１１ｂとを備えている。
【０１１９】
輝度判定部２１１ａは、撮影待機状態において、ＣＣＤ３０３により１／３０（秒）毎に取り込まれる画像を利用して被写体の明るさを判定するものである。すなわち、輝度判定部２１１ａは、画像メモリ２０９に更新的に記憶される画像データを用いて被写体の明るさを判定するものである。
【０１２０】
輝度判定部２１１ａは、画像メモリ２０９の記憶エリアを９個のブロックに分割し、例えば各ブロックＢに含まれるＧ（緑）の色成分の画素データＧRの平均値をそのブロックを代表する輝度データとして算出する。そして、９個の輝度データを用いて被写体の明るさを判定する。
【０１２１】
なお、Ｒ，Ｇ，Ｂの各色成分の画素データＧR，ＧG，ＧBを用いて各ブロックを代表する輝度データを算出するようにしてもよい。すなわち、各画素位置（ｉ，ｊ）のＲ，Ｇ，Ｂの各色成分の画素データＧR，ＧG，ＧBを所定の比率（例えばＧR；ＧG；ＧB＝４：５：１）で加算してその画素位置（ｉ，ｊ）の輝度データＢＶ（ｉ，ｊ）（＝０．４ＧR＋０．５ＧG＋０．１ＧB）を算出し、これらの輝度データＢＶ（ｉ，ｊ）の平均値を算出することにより各ブロックの輝度データを算出するようにしてもよい。
【０１２２】
シャッタスピード設定部２１１ｂは、輝度判定部２１１ａによる被写体の明るさの判定結果に基づいてシャッタスピード（ＣＣＤ３０３の積分時間）を設定するものである。シャッタスピード設定部２１１ｂは、シャッタスピードＳＳのテーブルを有している。
【０１２３】
シャッタスピードＳＳは、カメラ起動時に所定値（例えば１／１２８（秒））に初期設定され、撮影待機状態において、シャッタスピード設定部２１１ｂは、輝度判定部２１１ａによる被写体の明るさの判定結果に応じて初期値から高速側若しくは低速側に１段ずつ変更設定する。
【０１２４】
この結果、最初、初期値のシャッタスピードＳＳで撮像された画像に基づき判定された被写体の明るさが、例えば明かる過ぎるときは、シャッタスピードＳＳを１段分高速にして（例えば、１／１４４（秒）に設定して）次の画像が撮像され、再度、この画像に基づき被写体の明るさが判定される。そして、この判定結果が、例えば未だ明かる過ぎるときは、シャッタスピードＳＳを更に１段分高速にして（例えば、１／１６１（秒）に設定して）次の画像が撮像され、以下、被写体の明るさ判定とシャッタスピードＳＳの再設定とが交互に繰り返されてある時間経過後には適切なシャッタスピードＳＳが設定される。
【０１２５】
制御部２１１は、撮影モードにおいて、シャッタボタン９により撮影が指示されると、撮影指示後に画像メモリ２０９に取り込まれた画像のサムネイル画像と圧縮率設定スイッチ１２で設定された圧縮率ＫによりＪＰＥＧ（Joint Photographic Coding Experts Group）方式により圧縮された圧縮画像とを生成し、撮影画像に関するインデックス情報（コマ番号、露出値、シャッタスピード、圧縮率Ｋ等の情報）とともに両画像をＩＣカード１８に記憶する。
【０１２６】
ＩＣカード１８の記憶領域は、図２９に示すように、主にＴＡＧエリアＡＲ１、サムネイル画像エリアＡＲ２及び本画像エリアＡＲ３の３つの領域に分割されている。ＴＡＧエリアＡＲ１、サムネイル画像エリアＡＲ２及び本画像エリアＡＲ３には、それぞれ各コマの撮影画像に関するインデックス情報とサムネイル画像と圧縮画像とが記録される。
【０１２７】
なお、サムネイル画像は、撮影画像の画素データを間引いて分解能を粗くした小画像である。例えば撮影画像を構成する画素データの総数を４８０×６４０個とすると、サムネイル画像は、縦横両方に画素数を１／８に削減して生成される。従って、サムネイル画像を構成する画素数は、元の撮影画像の１／６４となる。なお、実際にＩＣカード１８に記録されるデータ数では、元の撮影画像が圧縮されるので、サムネイル画像のデータ数は、圧縮画像の１／６４とはならない。例えば圧縮率Ｋ＝１／８の場合、サムネイル画像のデータ数は、圧縮画像の１／８（＝８／６４）となり、圧縮率Ｋ＝１／２０の場合、サムネイル画像のデータ数は、圧縮画像の１／３．２（＝２０／６４）となる。
【０１２８】
制御部２１１は、上記撮影画像の記録処理を行なうために、フィルタリング処理を行なうフィルタ部２１１ｃとサムネイル画像及び圧縮画像を生成する記録画像生成部２１１ｄとを備え、ＩＣカード１８に記録された画像をＬＣＤ表示部１０に再生するために、再生画像を生成する再生画像生成部２１１ｅを備えている。
【０１２９】
フィルタ部２１１ｃは、デジタルフィルタにより記録すべき画像の高周波成分を補正して輪郭に関する画質の補正を行なうものである。フィルタ部２１１ｃは、圧縮率Ｋ＝１／８，１／２０のそれぞれについて、標準的な輪郭補正を行うデジタルフィルタと、この標準的な輪郭補正に対して、輪郭を強める２種類のデジタルフィルタと輪郭を弱める２種類のデジタルフィルタの合計５種類のデジタルフィルタを備えている。
【０１３０】
なお、圧縮率Ｋ＝１／８，１／２０のそれぞれについて上記５種類のデジタルフィルタを用意しているのは、ＪＰＥＧ方式は非可逆変換のため、圧縮率ｋ＝１／２０の再生画像は圧縮率Ｋ＝１／８の再生画像に比して高周波成分が少なくなり、若干、ピンボケ状態の画像となるので、同一のフィルタ係数を有するデジタルフィルタでフィルタリングを行った場合、圧縮率ｋ＝１／２０の再生画像に縞模様が出るおそれがあるので、かかる弊害を防止するためである。
【０１３１】
記録画像生成部２１１ｄは、画像メモリ２０９から画素データを読み出してＩＣカード１８に記録すべきサムネイル画像と圧縮画像とを生成する。記録画像生成部２１１ｄは、画像メモリ２０９からラスタ走査方向に走査しつつ、横方向と縦方向の両方向でそれぞれ８画素毎に画素データを読み出し、順次、ＩＣカード１８のサムネイル画像エリアＡＲ２に転送することで、サムネイル画像を生成しつつＩＣカード１８に記録する。
【０１３２】
また、記録画像生成部２１１ｄは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをＩＣカード１８の本画像エリアＡＲ３に記録する。なお、インデックス情報は、図略のインデックス情報生成部により生成され、サムネイル画像及び本画像の記録処理の前又は後にＴＡＧエリアＡＲ１に記録される。
【０１３３】
再生画像生成部２１１ｅは、ＩＣカード１８から画像データを読み出してＬＣＤ表示部１０に再生表示すべきサムネイル画像と本画像とを生成する。ＩＣカード１８に記録された画像はモニタテレビ用のγ係数（＝０．５５）でγ補正されているので、この記録画像をそのままＬＣＤ表示部１０に再生すると、上記γ係数とＬＣＤ表示用のγ係数（＝０．４５）との不整合によりコントラストの強い堅調の画質となるため、再生画像生成部２１１ｅは、サムネイル画像及び本画像の再生画像を生成する際、再生画像のγ特性を再補正する。
【０１３４】
すなわち、再生画像生成部２１１ｅは、ＩＣカード１８のサムネイル画像エリアＡＲ２からラスタ走査方向に走査しつつ読み出された画像データにγ＝０．８２（＝０．４５／０．５５）のγ特性でγ補正を施した後、この画像データに基づいて横ライン単位で表示用の画素データ（不足する画素データを補間した画素データ）を生成し、順次、画像メモリ２１０に転送してサムネイル画像のＬＣＤ表示部１０への再生表示を行なう。
【０１３５】
また、再生画像生成部２１１ｅは、ＩＣカード１８の本画像エリアＡＲ３から読み出された圧縮画像の画素データを横ライン単位で伸長して表示用の画素データを生成し、この画素データにγ＝０．８２のγ特性でγ補正を施した後、順次、画像メモリ２１０に転送して本画像のＬＣＤ表示部１０への再生表示を行なう。
【０１３６】
次に、デジタルカメラ１の撮影／再生モードにおける動作制御について、説明する。
【０１３７】
図３０は、デジタルカメラ１の動作制御のメインル−チンである。メイン電源がオンになると、撮影／再生モ−ド設定スイッチ１４の状態、すなわちスイッチＳP/Rの状態を検出してモ−ド設定状態が判別され（＃２）、モ−ド設定状態が、再生モ−ドであれば（＃２でＹＥＳ）、図３１及び図３２に示す「再生モ−ド」のサブル−チンに従って再生モード処理が行なわれ、撮影モ−ドであれば（＃２でＮＯ）、図３５に示す「撮影モ−ド」のサブル−チンに従って撮影モード処理が行なわれる。
【０１３８】
再生モ−ドにおいては、まず、コマ数ｎをカウントするカウンタの初期値が「１」に設定された後（＃１０）、１コマ目のサムネイル画像がＬＣＤ表示部１０に表示される（＃１２〜＃１６）。すなわち、ＩＣカード１８のサムネイル画像エリアＡＲ２から１コマ目のサムネイル画像を読み出し（＃１２）、このサムネイル画像を、γ＝０．８２のγ特性でγ補正するとともに、ＬＣＤ表示部１０の表示サイズに拡大処理した後（＃１４）、画像メモリ２１０に転送してサムネイル画像のＬＣＤ表示部１０への表示が行なわれる（＃１６）。
【０１３９】
その後、１コマ目のＪＰＥＧ方式で圧縮された画像（以下、本画像という。）がＬＣＤ表示部１０に表示される。すなわち、ＩＣカード１８の本画像エリアＡＲ３から１コマ目の本画像をライン単位で読み出し（＃１８）、このライン画像を伸長するとともに、γ＝０．８２のγ特性でγ補正した後（＃２０）、画像メモリ２１０に転送して本画像のＬＣＤ表示部１０への表示が行なわれる（＃２２）。
【０１４０】
上記のように、本デジタルカメラ１は、各コマの記録画像のＬＣＤ表示部１０への再生表示は、サムネイル画像を表示した後、本画像を表示するようにしている。このように、本画像の表示前にサムネイル画像を表示するようにしているのは、本画像全体の表示処理に２秒程度を要するのに対しサムネイル画像の表示処理は、０．５秒程度で行なえることから、本画像全体が表示されるまでの間にサムネイル画像を表示することにより再生処理におけるユーザーの待ち時間を軽減するものである。
【０１４１】
また、本画像の表示をライン単位で行い、図３３に示すように、サムネイル画像をライン単位で本画像に置き換えることによりユーザーに本画像の再生処理の進行状態が分かるようにしている。
【０１４２】
なお、同図において、（ａ）はサムネイル画像が表示されている状態を示し、（ｂ）はサムネイル画像がライン単位で本画像に変更されている状態を示し、（ｃ）は本画像全体が表示された状態を示している。また、各コマの記録画像は、コマ番号、タイトル、撮影日等の情報とともに表示され、これらの情報は、ＬＣＤ表示部１０の表示領域の上部に設けられた情報表示領域４０に表示されるようになっている。例えばコマ番号は情報表示領域４０の左端部に表示され、撮影日は情報表示領域４０の右端部に表示される。
【０１４３】
続いて、ＵＰスイッチ６、ＤＯＷＮスイッチ７及び消去スイッチ８のオン・オフ状態が順次、判別され（＃２４〜＃２８）、ＵＰスイッチ６がオンであれば（＃２４でＹＥＳ）、コマ数ｎが１だけインクリメントされ（＃３２）、ＤＯＷＮスイッチ７がオンであれば（＃２６でＹＥＳ）、コマ数ｎが１だけデクリメントされて（＃３４）、＃３８に移行し、ｎコマ目のサムネイル画像のＬＣＤ表示部１０への表示が行なわれる（＃３８〜＃４２）。
【０１４４】
一方、消去スイッチ８がオンであれば（＃２８でＹＥＳ）、図３４に示す「画像消去」のサブルーチンに従って表示されているコマ番号の画像データの消去が行なわれ（＃３６）、ＵＰスイッチ６、ＤＯＷＮスイッチ７及び消去スイッチ８のいずれもオフであれば（＃２８でＮＯ）、再生モードが保持されているか否か（すなわち、撮影／再生モ−ド設定スイッチ１４が操作されているか否か）が判別され（＃３０）、再生モードから撮影モードに切り換えられていると（＃３０でＮＯ）、再生モード処理を抜けるべく、リターンし、再生モードが保持されていれば、＃２４に戻り、ＵＰスイッチ６、ＤＯＷＮスイッチ７及び消去スイッチ８のいずれかが操作されるまで、現コマ番号のＬＣＤ表示部１０への表示が継続される（＃２４〜＃３０のループ）。
【０１４５】
＃３８〜＃４２では、１コマ目のサムネイル画像と同様に、ＩＣカード１８のサムネイル画像エリアＡＲ２からｎコマ目のサムネイル画像の読出し（＃３８）、γ補正及び拡大処理（＃４０）が行なわれて、このサムネイル画像のＬＣＤ表示部１０への表示が行なわれる。
【０１４６】
続いて、０．５秒の待ち時間の後（＃４３）、ｎコマ目のサムネイル画像の表示処理中にＵＰスイッチ６又はＤＯＷＮスイッチ７のオン・オフ状態が順次、判別され（＃４４，＃４６）、ＵＰスイッチ６がオンであれば（＃４４でＹＥＳ）、コマ数ｎが１だけインクリメントされ（＃４８）、ＤＯＷＮスイッチ７オンであれば（＃４６でＹＥＳ）、コマ数ｎが１だけデクリメントされて（＃５０）、＃３８に移行し、（ｎ＋１）コマ目又は（ｎ−１）コマ目のサムネイル画像のＬＣＤ表示部１０への表示が行なわれる（＃３８〜＃４３）。
【０１４７】
＃３８〜＃５０の処理は、本画像の表示が行なわれる前にＵＰスイッチ６又はＤＯＷＮスイッチ７が操作された場合の処理で、サムネイル画像の表示処理には略０．５秒程度を要するので、連続的にＵＰスイッチ６又はＤＯＷＮスイッチ７が操作されると、各コマのサムネイル画像が略１秒毎に表示されることになる。
【０１４８】
ｎコマ目のサムネイル画像の表示処理中にＵＰスイッチ６、ＤＯＷＮスイッチ７のいずれも操作されなければ（＃４６）、現在表示されているｎコマ目の本画像のＬＣＤ表示部１０への表示処理が行なわれる（＃５２〜＃５８）。
【０１４９】
＃５２〜＃５８では、１コマ目のサムネイル画像と同様に、ＩＣカード１８の本画像エリアＡＲ３からｎコマ目の圧縮画像の読出し（＃５２）、伸長及びγ補正の処理（＃５４）がライン単位で行なわれて、この本画像のＬＣＤ表示部１０への表示が行なわれる。
【０１５０】
＃５８の判断は、ライン単位での本画像の表示処理中にＵＰスイッチ６又はＤＯＷＮスイッチ７が操作された場合の処理を行なうためのもので、本画像全体がＬＣＤ表示部１０に表示されていないときは（＃５８でＮＯ）、＃４４に戻り、ＵＰスイッチ６又はＤＯＷＮスイッチ７の操作状態を判別するものである。＃４４〜＃５８のループによリ、ライン単位での本画像の表示処理中にＵＰスイッチ６又はＤＯＷＮスイッチ７が操作された場合は、本画像の表示処理を中止し、＃３８〜＃４２で（ｎ＋１）コマ目又は（ｎ−１）コマ目のサムネイル画像のＬＣＤ表示部１０への表示が行なわれることになる。
【０１５１】
一方、本画像全体のＬＣＤ表示部１０への表示が完了しているときは（＃５８でＹＥＳ）、＃２４に戻り、ＵＰスイッチ６、ＤＯＷＮスイッチ７及び消去スイッチ８の操作に応じて表示画像のコマ番号の更新若しくは表示画像の消去処理が行なわれる。
【０１５２】
次に、＃３６の画像消去の処理について、図３４のフローチャートに従って説明する。
【０１５３】
まず、消去スイッチ８のオン・オフ状態が判別される（＃６０）。消去スイッチ８がオンであれば（＃６０でＹＥＳ）、ＬＣＤ表示部１０の表示画像が上から順番に１ラインづつ消去される（＃６２）。すなわち、画像メモリ２１０に記憶された画像データが上から１ライン単位で消去される。
【０１５４】
続いて、ＬＣＤ表示部１０の表示画像が完全に消去されたか否かが判別され（＃６６）、表示画像の消去中であれは、＃６０に移行し、消去スイッチ８がオフにならない限り、表示画像の消去処理が継続される（＃６０〜＃６６のループ）。
【０１５５】
一方、表示画像の消去処理中に消去スイッチ８がオフになると（＃６０でＮＯ）、ＬＣＤ表示部１０の表示画像の消去を中止し、既に消去された部分の画像がＬＣＤ表示部１０に再表示されて（＃６４）、リターンする。
【０１５６】
そして、ＬＣＤ表示部１０の表示画像が完全に消去されると（＃６６でＹＥＳ）、ＩＣカード１８の本画像エリアＡＲ３に記録されている現表示画像に対応する画像デ−タが消去され（＃６８）、リターンする。
【０１５７】
上記のように、消去スイッチ８により画像データの消去が指示されたとき、ＬＣＤ表示部１０に表示された画像を消去した後にＩＣカード１８内の画像データの消去を行うようにしているは、ユーザーの消去スイッチ８の操作ミスによりＩＣカード１８内の画像データが誤って消去されないようするものである。
【０１５８】
また、ＬＣＤ表示部１０の表示画像をライン単位で消去するようにしているのは、上記操作ミスに対する猶予時間を設けるとともに、この猶予時間を利用して画像データの消去動作をユーザーに視覚的に報知するためである。ユーザーは、ＬＣＤ表示部１０の表示画像のライン単位の消去状態により画像データの消去処理が行なわれていることを確認することができるとともに、操作ミスの場合は、消去スイッチ８をオフにすることにより容易に画像データの誤消去を回避することができる。
【０１５９】
次に、＃６の撮影モード処理について、図３５のフローチャートに従って説明する。
【０１６０】
撮影モードにおいては、ＣＣＤ３０３により撮像が行なわれ（＃７０）、この撮像画像がカメラ本体部２内で所定の画像処理が行なわれている間にスイッチ３０からの検出信号に基づき撮像部３が正面撮像位置に設定されている否かが判別される（＃７２）。撮像部３が正面撮像位置に設定されていれば（＃７２でＹＥＳ）、ＬＣＤ表示部１０に上記撮影画像が表示され（＃７４）、撮像部３が正面撮像位置に設定されていなければ（＃７２でＮＯ）、ＬＣＤ表示部１０に上記撮影画像の表示と内蔵フラッシュ５の発光が禁止されていることを示す警告表示とが行なわれる（＃７６）。
【０１６１】
図３６は、撮像部３が正面撮像位置に設定されている場合のＬＣＤ表示部１０の表示例を示し、図３７は、撮像部３が正面撮像位置に設定されていない場合のＬＣＤ表示部１０の表示例を示す図である。
【０１６２】
ＬＣＤ表示部１０の表示領域の上部に設けられた情報表示領域４０にはコマ番号や撮影日時等の情報が表示されるとともに、フラッシュ発光モードが発光形矢印のシンボルマークで表示される。フラッシュ発光モードは情報表示領域４０の中央部に表示され、撮影日時は情報表示領域４０の右端部に表示されるが、撮影日時の表示領域は、上記警告表示の領域にもなっている。
【０１６３】
従って、撮像部３が正面撮像位置に設定されていない場合は、図３７に示すように、撮影日時の表示領域に発光形矢印と「ＯＦＦ」の文字を組み合わせた「発光不可」のマークＭが警告表示される。
【０１６４】
なお、本実施の形態では、表示により警告を行なうようしているが、ブザー等の警告音により警告するようにしてもよく、音と表示の両方で警告するようにしてもよい。
【０１６５】
続いて、レリーズスイッチＳRELがオンになっているか否かが判別され（＃７８）、レリーズスイッチＳRELがオフ状態であれば（＃７８でＮＯ）、＃７０に戻り、上記撮像画像又はフラッシュ発光禁止の警告のＬＣＤ表示部１０への表示が継続される（＃７０〜＃７８のループ）。なお、この表示状態は撮影待機状態で、ＬＣＤ表示部１０が電子ビューファインダーとして動作している状態である。
【０１６６】
撮影待機状態において、レリーズスイッチＳRELがオンになると（＃７８でＹＥＳ）、フラッシュ発光による撮影か否か、撮像部３が正面撮像位置に設定されているか否かが順次、判別され（＃８０，＃８２）、フラッシュ発光を行なわない撮影である場合（＃８０でＮＯ）若しくは撮像部３が正面撮像位置に設定されていない場合（＃８２でＮＯ）は、内蔵フラッシュ５を発光することなく撮像を行なわれ（＃８６）、フラッシュ発光による撮影で、かつ、撮像部３が正面撮像位置に設定されていれば（＃８０，＃８２でＹＥＳ）、内蔵フラッシュ５を発光して撮像が行なわれる（＃８４）。
【０１６７】
続いて、撮像画像はカメラ本体部２内で表示用の所定の画像処理が行なわれた後、ＬＣＤ表示部１０に表示される一方（＃８８）、記録用の所定の画像処理が行なわれた後、ＩＣカード１８に記録され（＃９０）、これにより１枚の撮影動作が終了する。そして、次の画像を撮像すべく＃７０に戻る。
【０１６８】
【発明の効果】
以上説明したように、本発明によれば、第１の画像とこの第１の画像よりも表示手段への再生の処理のための時間が長い第２の画像とにより各コマが構成された、複数のコマの撮像画像が記憶された記憶手段から各コマの撮像画像を順次、読み出し、表示手段に再生表示を行なうデジタルカメラであって、指示手段で再生すべきコマが所定時間内の間隔で連続して指示されたときは、指定されたコマの第１の画像を連続して表示手段に再生し、上記所定時間内で指示されなかったとき、連続指示で最後に指示されたコマの第２の画像を表示手段に再生するようにしたので、例えば各コマの撮像画像が高画質の圧縮画像と非圧縮のサムネイル画像とで構成されている場合、再生コマが連続指示されたときは、サムネイル画像を連続表示することにより各コマの撮像内容を迅速に確認することができるとともに、所望のコマ位置まで迅速にコマ送りすることができる(請求項１)。
【０１６９】
また、本発明は、画像を表示する表示手段を有し、第１の画像とこの第１の画像より上記表示手段への再生のための処理の時間が長い第２の画像とにより各コマが構成された、複数のコマの撮像画像が記憶された記憶手段から各コマの撮像画像を順次、読み出し、上記表示手段に再生表示を行うデジタルカメラであって、上記表示手段に再生すべきコマを指示する指示手段と、上記指示手段で再生すべき次のコマが指示されたときは、第１のコマの第１の画像の表示処理完了後、第２のコマの第１の画像を表示手段に再生表示し、所定時間内に次に再生すべきコマ画像が指示されなかったときは、第１のコマの第１の画像の表示処理完了後、第１のコマの第２の画像を表示手段に再生表示する表示制御手段とを備えたので、指示手段により、次のコマの再生指示が所定時間内に行われた場合は、次のコマの第１の画像の再生表示を行い、次のコマの指示が所定時間内に行われなかった場合は、現コマの第１の画像の再生表示が完了した後、現コマの第２の画像を再生表示し、しかも、第１の画像は第２の画像に比して再生のための処理の時間が短いため、各コマの撮像内容を迅速に確認することができるとともに、所望のコマ位置まで迅速にコマ送りするこができる(請求項２)。
【０１７０】
また、本発明は、上記第２の画像は再生表示される際、現在表示されている上記第１の画像に対してライン単位で上書きして表示したので、ユーザーに本画像の再生処理の進行状態を報知することができる(請求項９)。
【０１７１】
また、本発明は、上記記憶手段を、カメラに対して取り外し可能な記録媒体としたので、取り扱いの利便性が増す(請求項１０)
【図面の簡単な説明】
【図１】本発明に係るデジタルカメラの正面図である。
【図２】本発明に係るデジタルカメラの背面図である。
【図３】本発明に係るデジタルカメラの上面図である。
【図４】本発明に係るデジタルカメラの右側面図である。
【図５】本発明に係るデジタルカメラの底面図である。
【図６】撮像部の内部光像を示す図である。
【図７】電源電池及びＩＣカードの蓋を開放した状態を示す図である。
【図８】電源電池及びＩＣカードの各装填室の配置の第１の例を示す図である。
【図９】電源電池及びＩＣカードの装填室の配置の第２の例を示す図である。
【図１０】電源電池及びＩＣカードの装填室の配置の第３の例を示す図である。
【図１１】電池の落下を防止する摩擦部材が設けられた電池装填室の要部縦断面図である。
【図１２】内部に摩擦部材が設けられた電池装填室の要部横断面図である。
【図１３】電池の落下を防止するバネ部材が設けられた電池装填室の要部縦断面図である。
【図１４】電池の落下を防止するための摩擦ボールによるストッパー機構が設けられた電池装填室の要部縦断面図である。
【図１５】カメラ本体部の斜視図である。
【図１６】撮像部と接続板との接続機構を説明するための斜視図である。
【図１７】ロック解除レバーの構造を示す要部断面図である。
【図１８】接続板ユニットの構造を示す分解斜視図である。
【図１９】摺動リングの平面図である。
【図２０】接続板が回転基準位置にあることを検出してメイン電源をオフにするスイッチの検出状態を示す要部断面図である。
【図２１】接続板が正面撮像位置にあることを検出するスイッチの検出状態を示す要部断面図である。
【図２２】カメラ本体に対する撮像部の回転軸の位置を示す右側面図である。
【図２３】カメラ本体に対する撮像部の回転軸の位置を示す正面図である。
【図２４】撮像部とカメラ本体とを接続する接続ケーブルの外観図である。
【図２５】接続ケーブルの撮像部内の回路構成を示す図である。
【図２６】画像信号の波形を示す図で、（ａ）は接続ケーブルの入力端の画像信号の波形図、（ｂ）はバッファ回路を有する接続ケーブルの出力端の画像信号の波形図、
（ｃ）はバッファ回路を有しない接続ケーブルの出力端の画像信号の波形図である。
【図２７】本発明に係るデジタルカメラのブロック図である。
【図２８】ケーブル接続時とケーブル非接続時におけるＡ／Ｄ変換器に入力される画像信号とＡ／Ｄ変換用クロックの波形図である。
【図２９】ＩＣカードの記憶領域の構成を示す図である。
【図３０】本発明に係るデジタルカメラの撮影／再生動作の制御を示すメインフローチャートである。
【図３１】再生モード処理の制御を示すフローチャートである。
【図３２】再生モード処理の制御を示すフローチャートである。
【図３３】記録画像をＬＣＤ表示部に再生表示する場合の表示例を示すもので、（ａ）はサムネイル画像が表示された状態を示す図、（ｂ）はサムネイル画像をライン単位で本画像に置換している状態を示す図、（ｃ）はサムネイル画像が表示された状態を示す図である。
【図３４】画像消去処理の制御を示すフローチャートである。
【図３５】撮影モード処理の制御を示すフローチャートである。
【図３６】ＬＣＤ表示部に被写体像がモニタ表示された状態を示す図である。
【図３７】ｌＣＤ表示部にフラッシュの発光方向と撮像方向との不一致に基づくフラッシュ発光禁止の警告が表示された状態を示す図である。
【符号の説明】
１  デジタルカメラ
２  カメラ本体部
２１１  制御部（第１，第２の表示制御手段）
３  撮像部
４  グリップ部
５  内蔵フラッシュ
６  ＵＰスイッチ（指示手段）
７  ＤＯＷＮスイッチ（指示手段）
８  消去スイッチ
９  シャッタボタン
１０  ＬＣＤ表示部（表示手段）
１１  ＦＬモード設定スイッチ
１２  圧縮率設定スイッチ
１３  接続端子
１４  撮影／再生モード設定スイッチ
１５  蓋
１６  電池装填室
１７  カード装填室
１８  ＩＣカード（記憶手段）
１９  パーソナルコンピュータ
２３  接続板
２９  スイッチ
３０  スイッチ
３２  専用ケーブル
ＳMACRO，ＳMAIN，ＳCPOS  スイッチ
ＳREL，ＳP/R，ＳUP，ＳDOWN，ＳFL，ＳDEL，ＳCOMP  スイッチ
【図１】
0003612881.tif 000002
【図２】
0003612881.tif 000003
【図３】
0003612881.tif 000004
【図４】
0003612881.tif 000005
【図５】
0003612881.tif 000006
【図６】
0003612881.tif 000007
【図７】
0003612881.tif 000008
【図８】
0003612881.tif 000009
【図９】
0003612881.tif 000010
【図１０】
0003612881.tif 000011
【図１１】
0003612881.tif 000012
【図１２】
0003612881.tif 000013
【図１３】
0003612881.tif 000014
【図１４】
0003612881.tif 000015
【図１５】
0003612881.tif 000016
【図１６】
0003612881.tif 000017
【図１７】
0003612881.tif 000018
【図１８】
0003612881.tif 000019
【図１９】
0003612881.tif 000020
【図２０】
0003612881.tif 000021
【図２１】
0003612881.tif 000022
【図２２】
0003612881.tif 000023
【図２３】
0003612881.tif 000024
【図２４】
0003612881.tif 000025
【図２５】
0003612881.tif 000026
【図２６】
0003612881.tif 000027
【図２７】
0003612881.tif 000028
【図２８】
0003612881.tif 000029
【図２９】
0003612881.tif 000030
【図３０】
0003612881.tif 000031
【図３１】
0003612881.tif 000032
【図３２】
0003612881.tif 000033
【図３３】
0003612881.tif 000034
【図３４】
0003612881.tif 000035
【図３５】
0003612881.tif 000036
【図３６】
0003612881.tif 000037
【図３７】
0003612881.tif 000038